(57)【要約】 【課題】操作に対するモールス符号の送信の遅延を解消する。【解決手段】本発明の送信装置は、判断部と記憶部とカウンタと記憶制御部とを備える。判断部は、モールス符号を送信する操作に応じた操作信号の論理を第１の時間長毎に判断する。記憶部は、判断部が判断した操作信号の論理の論理値を第１の時間長毎に記憶する。カウンタは、判断部が判断した操作信号の論理値が変化する以前までの操作信号の論理値の個数をカウントする。記憶制御部は、判断部が判断した操作信号の論理値が変化した場合に、カウンタがカウントした操作信号の論理値の個数に応じて、記憶部に記憶された所定数の操作信号の論理値を削除する。【選択図】図２
2017063368.tif 000002
【特許請求の範囲】
【請求項１】
モールス符号を送信する送信装置であって、
モールス符号を送信する操作に応じた操作信号の論理を第１の時間長毎に判断する判断部と、
前記判断部が判断した前記操作信号の論理の論理値を前記第１の時間長毎に記憶する記憶部と、
前記判断部が判断した前記操作信号の論理値が変化する以前までの前記操作信号の論理値の個数をカウントするカウンタと、
前記判断部が判断した前記操作信号の論理値が変化した場合に、前記カウンタがカウントした前記操作信号の論理値の個数に応じて、前記記憶部に記憶された所定数の前記操作信号の論理値を削除する記憶制御部と、
を備える送信装置。
【請求項２】
前記記憶制御部は、
モールス符号を送信する最初の操作が行われてから、第２の時間長が経過した後、前記記憶部に記憶された前記操作信号の論理値のうち、最も古い前記操作信号の論理値から出力することを特徴とする請求項１に記載の送信装置。
【請求項３】
前記記憶制御部は、
前記記憶部に記憶された前記操作信号の論理値の個数が前記所定数未満の場合は、前記記憶部に記憶された全ての前記操作信号の論理値を削除するとともに、前記判断部が判断した前記操作信号の論理値を前記記憶部に記憶させずに出力することを特徴とする請求項２に記載の送信装置。
【請求項４】
出力された前記操作信号の論理値に応じて、搬送波の変調を行う変調部を備えること、
を特徴とする請求項１乃至３のうちの何れか１項に記載の送信装置。
【請求項５】
共通の電圧制御発振器により送信時の発振周波数と受信時の発振周波数を異ならせ、周波数変調方式の通信を行うＦＭモードと、モールス符号による振幅変調方式の通信を行うＣＷモードと、を有するＦＭ携帯型無線機であって、
モールス符号を送信する操作に応じた操作信号の論理を第１の時間長毎に判断する判断部と、
前記判断部が判断した前記操作信号の論理の論理値を前記第１の時間長毎に記憶する記憶部と、
前記判断部が判断した前記操作信号の論理値が変化する以前までの前記操作信号の論理値の個数をカウントするカウンタと、
前記判断部が判断した前記操作信号の論理値が変化した場合に、前記カウンタがカウントした前記操作信号の論理値の個数に応じて、前記記憶部に記憶された所定数の前記操作信号の論理値を削除する記憶制御部と、
を備えるＦＭ携帯型無線機。
【発明の詳細な説明】
【技術分野】
【０００１】
本発明の実施形態は、送信装置およびＦＭ携帯型無線機に関する。
【背景技術】
【０００２】
従来、携帯型無線通信機は、単一の通信方式（たとえば周波数変調方式）を登載し、その周波数変調方式で可能な音声通信やデータ通信を行っていた。近年、ソフトウェア処理により周波数変調以外の変調方式の復調も可能となり、特にアマチュア無線機では、受信の広帯域化に伴って、アマチュア無線帯域以外の放送帯域等の受信も可能となっている。アマチュア無線帯域内であっても、通信方式毎に使用される帯域が異なるが、振幅変調された信号であっても受信して復調は可能となった。
【０００３】
振幅変調の通信方式の受信も可能となったことから、ＣＷモードによる電信の受信が可能となっている。ＣＷとはContinuous  wave（無変調連続波）の略である。慣例的に、周波数変調の通信方式はＦＭモード、振幅変調の通信方式はＡＭモードと言われるのと同様に、操作の断続に応じてＣＷを断続的に送信することによりモールス符号を送信する通信方式をＣＷモードと称する。通常は、ＣＷモードの送信は電鍵などを用いて行うが、簡易的もしくは非常状態の際に、ＰＴＴ（Push  to  talk）スイッチの断続により送信キャリアのＯＮ／ＯＦＦを切り替えて、モールス符号を送信するといったことを携帯型無線機では行っていた。
【０００４】
ここで、ＦＭ携帯型無線機の多くは、１個の電圧制御発振器（Voltage-controlled  oscillator、以下「ＶＣＯ」と称する）を用いて、送信時の発振周波数と受信時の発振周波数とを切り替える方式が主流である。例えばヘテロダイン方式の受信であれば、送信時の発振周波数と受信時の発振周波数とは中間周波数分だけずれる。そのため、受信から送信に切り替える場合、ＶＣＯの発振周波数をずらす必要があり、ＣＷモードでは、送信周波数が安定するまでは電波を出すことができない。ＦＭモードでは大きな問題とはならないが、ＣＷモードでは周波数の偏移が復調側では音の高低となり、一定の高さの音の断続信号とはならない。
【０００５】
そこで、送信周波数が安定するまでの間は、操作の有無に応じた状態を示すキーイング状態をバッファーに格納しておき、送信周波数が安定した後に、バッファーからキーイング状態を取り出し、取り出したキーイング状態に応じてＣＷの断続送信を行う（キーイング状態に応じてＣＷの送信／停止を切り替える）ことが考えられる。例えば特許文献１には、「送信処理に要する送信処理時間を記憶しておき、無線端末の電源起動時に送信処理時間を読み出して、送信処理時間に基づく送信タイミングを生成し、送信タイミングに基づく通信処理の周期が規格内になるように、送信ＦＩＦＯの読み出しタイミングを遅延時間分だけ早める」技術が開示されている。
【先行技術文献】
【特許文献】
【０００６】
【特許文献１】特開２０１４−５００９４号公報
【発明の概要】
【発明が解決しようとする課題】
【０００７】
しかしながら、特許文献１に開示された技術では、バッファーに格納されたキーイング状態分だけ、操作（キーイング）に対するモールス符号の送信が遅れてしまうので、常に遅延したモールス符号が送信されてしまうという問題がある。
【０００８】
本発明は、上記に鑑みてなされたものであって、操作に対するモールス符号の送信の遅延を解消する送信装置およびＦＭ携帯型無線機を提供することを目的とする。
【課題を解決するための手段】
【０００９】
上述した課題を解決し、目的を達成するために、本発明は、モールス符号を送信する送信装置であって、モールス符号を送信する操作に応じた操作信号の論理を第１の時間長毎に判断する判断部と、前記判断部が判断した前記操作信号の論理の論理値を前記第１の時間長毎に記憶する記憶部と、前記判断部が判断した前記操作信号の論理値が変化する以前までの前記操作信号の論理値の個数をカウントするカウンタと、前記判断部が判断した前記操作信号の論理値が変化した場合に、前記カウンタがカウントした前記操作信号の論理値の個数に応じて、前記記憶部に記憶された所定数の前記操作信号の論理値を削除する記憶制御部と、を備える。
【００１０】
また、本発明は、共通の電圧制御発振器により送信時の発振周波数と受信時の発振周波数を異ならせ、周波数変調方式の通信を行うＦＭモードと、モールス符号による振幅変調方式の通信を行うＣＷモードと、を有するＦＭ携帯型無線機であって、モールス符号を送信する操作に応じた操作信号の論理を第１の時間長毎に判断する判断部と、前記判断部が判断した前記操作信号の論理の論理値を前記第１の時間長毎に記憶する記憶部と、前記判断部が判断した前記操作信号の論理値が変化する以前までの前記操作信号の論理値の個数をカウントするカウンタと、前記判断部が判断した前記操作信号の論理値が変化した場合に、前記カウンタがカウントした前記操作信号の論理値の個数に応じて、前記記憶部に記憶された所定数の前記操作信号の論理値を削除する記憶制御部と、を備える。
【発明の効果】
【００１１】
本発明にかかる送信装置は、操作に対するモールス符号の送信の遅延を解消することができる。
【図面の簡単な説明】
【００１２】
【図１】図１は、実施形態のＦＭ携帯型無線機のハードウェア構成の一例を示す概略図である。
【図２】図２は、マイコンが有する機能の一例を示す図である。
【図３】図３は、実施形態においてバッファーに論理値がバッファリングされる状況の一例を示す説明図である。
【図４】図４は、実施形態においてバッファーに記憶された論理値を削除する過程の一例を示す説明図である。
【図５】図５は、実施形態においてバッファーに記憶された論理値を削除する処理の一例を示すフローチャートである。
【図６】図６は、実施形態の削除判定処理の一例を示すフローチャートである。
【図７】図７は、第１の実施形態においてモールス符号を送信する際のタイミングチャートの一例を示す図である。
【発明を実施するための形態】
【００１３】
以下、添付図面を参照しながら、本発明にかかる送信装置およびＦＭ携帯型無線機の実施形態を詳細に説明する。なお、以下の各実施形態により本発明が限定されるものではない。
【００１４】
（第１の実施形態）
図１は、本実施形態のＦＭ携帯型無線機１のハードウェア構成の一例を示す概略図である。このＦＭ携帯型無線機１は、共通のＶＣＯにより送信時の発振周波数と受信時の発振周波数を異ならせ、周波数変調方式の通信を行うＦＭモードと、モールス符号による通信を行うＣＷモードと、を有する。また、ここでは、ＦＭモードの送信が、搬送波キャリアに対して音声信号により周波数変調を行うといった考えと同様に、ＣＷモードの送信は、搬送波キャリアに対してモールス符号による振幅変調がなされるといった考えとする。モールス符号による変調とは、搬送波が存在する状態（マーク）、または搬送波が存在しない状態（スペース）の２つの状態のいずれかとなる変調であることを指す。
【００１５】
図１に示すように、ＦＭ携帯型無線機１は、マイコン１０と、バッファー２０と、不揮発メモリ３０と、マイクロホン４０と、ＤＳＰ（Digital  Signal  Processor）５０と、スピーカ６０と、表示部７０と、ＰＴＴスイッチ８０と、操作部９０と、送受信回路１００と、アンテナ１１０とを備える。
【００１６】
マイコン１０は、ＦＭ携帯型無線機１の動作を統括的に制御する。マイコン１０は、ＣＰＵとしてマイクロプロセッサを使用したコンピュータである。マイコン１０が有する機能の詳細な内容については後述する。
【００１７】
バッファー２０は、後述の操作信号を一時的に記憶する装置であり、複数の記憶領域を有している。この例では、バッファー２０は、請求項の「記憶部」に対応している。
【００１８】
不揮発メモリ３０は、プログラムやデータなどの各種のデータを記憶する。マイクロホン４０は、ユーザによって入力された音声を電気信号（アナログの電気信号）に変換する。ＤＳＰ５０は、マイクロホン４０から入力された電気信号をデジタルデータに変換する等の音声処理を行う。また、この例では、ＤＳＰ５０による音声処理には、後述のＰＴＴスイッチ８０の操作に応じて、モールス符号の送信確認用のモニター音（サイドトーンと称す）を生成する処理も含まれる。ただし、サイドトーンを生成する主体はＤＳＰ５０に限られるものではなく、例えばマイコン１０がサイドトーンを生成する処理を行う形態であってもよい。
【００１９】
スピーカ６０は、ＤＳＰ５０による音声処理で得られた音声データ（電気信号）を音声に変換して出力する。表示部７０は、各種の情報を表示する。表示部７０は、例えば液晶型のディスプレイで構成されてもよい。
【００２０】
ＰＴＴスイッチ８０は、基本的には、押して送信状態とし、離して送信状態を終了させ受信スタンバイ状態とするスイッチである。厳密には受信スタンバイ状態（受信信号無し）と受信状態（受信信号あり）とは異なるが、送受信を切り替えるスイッチと考えて差し支えない。本発明では、ＰＴＴスイッチ８０は、ＦＭモードでは、送受信の切り替えのみであるが、ＣＷモードでは、送受信の切り替えと、モールス符号を入力するための電鍵（ＣＷキー）の機能も兼ねている。
【００２１】
さらにＣＷモードでは、ＰＴＴスイッチ８０が押下されると（以下の説明では、ＰＴＴスイッチ８０が押下された状態を「キーダウン」と称する場合がある）、送信を可とする送信状態に移行し、ＰＴＴスイッチ８０の押下が解除されても（以下の説明では、ＰＴＴスイッチ８０の押下が解除された状態、つまり、ＰＴＴスイッチ８０が押下されていない状態を「キーアップ」と称する場合がある）、予め設定された一定の時間長（ブレークインディレイタイム）にわたって送信待機状態を継続した後、受信状態に切り替わる。
【００２２】
モールス符号の入力は、ＰＴＴスイッチ８０のキーダウン操作による出力がマーク、キーアップ操作による出力がスペースに対応する。また図示はしないが、ＦＭ携帯型無線機１に対して接続可能なＰＴＴ付きスピーカマイクのＰＴＴスイッチの操作でも同様な動作となるようにしてもよい。
【００２３】
操作部９０は、ユーザによるＦＭ携帯型無線機１の操作に用いられるマンマシンインターフェースデバイスであり、具体的には、各種の操作を行うスイッチ類、受信音量や送受信周波数を設定するエンコーダといった複数のデバイスを含めた物の総称である。操作部９０は、本発明ではＣＷモードでの送受信を可とすることから、ユーザによる各種操作にはＦＭモードとＣＷモードとを切り替える操作に対応する構成を備える。送受信回路１００は、信号の送受信を行うための回路である。送受信回路１００は、送信用の信号（被変調波）をアンテナ１１０から送信し、アンテナ１１０で受信した信号を復調する機能を有している。
【００２４】
図２は、マイコン１０が有する機能の一例を示す図である。図２に示すように、マイコン１０は、判断部１０１と、記憶制御部１０２と、カウンタ１０３と、送信制御部１０４と、を有する。これらの機能は、ＣＰＵが不揮発メモリ３０等の記憶装置に格納されたプログラムを実行することにより実現されてもよいし、これらの機能のうちの少なくとも一部が専用のハードウェア回路により実現されてもよい。なお、図２の例では、本発明に関する機能のみを例示しているが、マイコン１０が有する機能はこれらに限られるものではない。
【００２５】
判断部１０１は、モールス符号を送信する操作に応じた操作信号の論理を第１の時間長毎に判断する。本実施形態では、判断部１０１は、一定の周期（第１の時間長）で、そのときの操作状態に応じた操作信号を判断する。本実施形態における操作信号は、モールス符号の送信の操作が行われた状態を示す第１の操作状態（つまり「キーダウン」）に対応する第１の操作信号（つまり「マーク」）、または、操作が行われていない状態を示す第２の操作状態（つまり「キーアップ」）に対応する第２の操作信号（つまり「スペース」）である。この例では、判断部１０１は、第１の時間長の一例としてサンプリング時間を２ｍＳとして、サンプリング時間ごとに、そのときの操作状態（以下の説明では「キーイング状態」と称する場合がある）に応じて、ＰＴＴスイッチ８０が押下された状態を示す第１の操作状態に対応する論理値、または、ＰＴＴスイッチ８０が押下されていない状態を示す第２の操作状態に対応する論理値のうちの何れかを判断する。
【００２６】
より具体的には、判断部１０１は、２ｍＳごとに、ＰＴＴスイッチ８０の接続ポートを確認し、ポート電圧が閾値以下であるか否かを確認する。この例では、キーダウンに対応するポート電圧は０Ｖ、キーアップに対応するポート電圧は５Ｖに設定され、閾値は２．５Ｖに設定されているが、これに限られるものではない。判断部１０１は、ポート電圧が閾値以下の場合は論理値を「Ｌ」と判断し、ポート電圧が閾値を超える場合は論理値を「Ｈ」と判断するという具合である。
【００２７】
記憶制御部１０２は、判断部１０１が判断した論理値（「Ｌ」もしくは「Ｈ」）を第１の時間長ごとにバッファー２０に記憶していく。
【００２８】
カウンタ１０３は、判断部１０１が判断した操作信号の論理値が変化する以前までの操作信号の論理値の個数をカウントする。本実施形態では、カウンタ１０３は、判断部１０１の判断結果として第１の操作信号の論理値（「Ｌ」）もしくは第２の操作信号の論理値（「Ｈ」）が連続した回数をカウントする。カウンタ１０３は、判断部１０１の判断結果が変化した場合は、変化前の判断結果に対応する操作信号の論理値が連続した回数に応じて、記憶制御部１０２に対してバッファー２０に記憶済みの所定数の論理値を削除する指示を出すとともに、変化前の判断結果に対応する操作信号の論理値が連続した回数のカウントをリセットする。記憶制御部１０２は、カウンタ１０３からの指示に従って、バッファー２０に記憶された所定数の論理値を削除する。つまり、本実施形態の記憶制御部１０２は、判断部１０１が判断した操作信号の論理値が変化した場合に、カウンタ１０３がカウントした操作信号の論理値の個数に応じて、バッファー２０に記憶された所定数の操作信号の論理値を削除する。
【００２９】
また、記憶制御部１０２は、モールス符号を送信する最初の操作が行われてから、第２の時間長が経過した後、バッファー２０に記憶された操作信号の論理値のうち、最も古い操作信号の論理値から出力する。つまり、記憶制御部１０２は、送信の契機となる操作が行われてから第２の時間長が経過した後に、バッファー２０に記憶された論理値を古い方から順に取り出して送信制御部１０４へ渡す。送信制御部１０４は、記憶制御部１０２から渡された論理値に応じたモールス符号を送信する。送信制御部１０４は、記憶制御部１０２から出力された操作信号の論理値に応じて、搬送波の変調（振幅変調）を行う変調部を備えている。
【００３０】
ここでの第２の時間長とは、受信状態においてＰＴＴスイッチ８０が押下され、受信状態から送信状態に切り替わり、送信周波数が安定し実際に電波を出力することが可能となるまでに必要な時間に、多少のマージンをとった時間長である。以下では、この第２の時間長を「送信ディレイタイム」と記載する。例えば送信ディレイタイムを１００ｍｓとすると、ＰＴＴスイッチ８０が押下された１００ｍｓ後より実際の電波の送信が開始される。
【００３１】
送信ディレイタイムが経過するまでの間は、モールス符号は送信されず、その間のキーイング状態を示す論理値はバッファー２０に格納されていく。そして、上述の送信ディレイタイムが経過すると、バッファー２０に格納された論理値が古い方から順次に取り出されてモールス符号の送信が開始されるので、以降のキーイング状態に応じたモールス符号は、それまでにバッファー２０に格納された論理値に応じたモールス符号が送信された後に送信されることになる。つまり、バッファー２０に格納された論理値の数の分だけ遅延して送信が開始されることになる。
【００３２】
遅延の解消のプロセスについて説明する。バッファー２０に記憶する論理値は、実際のキーイング状態に応じたモールス符号よりも短い時間長のモールス符号として記憶する制御を行うことで、遅延を解消していく。
【００３３】
図３は、バッファー２０に記憶される論理値の状態を示す図である。ＰＴＴスイッチ８０か押下されることにより、モールス符号の入力操作が開始されることから、最初の論理値は必ず「Ｌ」となる。判断部１０１は、サンプリング時間である２ｍＳが経過した後、論理値は「Ｌ」であると判断する。判断部１０１が判断した結果を記憶制御部１０２がバッファー２０に次のサンプリング時間で記憶させる。カウンタ１０３は、カウントをインクリメントする。
【００３４】
ＰＴＴスイッチ８０の押下が継続されている時間は、操作信号の論理値は「Ｌ」が連続し、サンプリング時間毎にバッファー２０に論理値が蓄積されるとともに、カウントのインクリメントが継続される。
【００３５】
ＰＴＴスイッチ８０の押下が解除され、サンプリング時間を越えても押下の解除が継続されていれば、判断部１０１は、操作信号の論理値を「Ｈ」と判断する。カウンタ１０３は、それまでのカウント数を記憶制御部１０２に伝送するとともに、カウント数をリセットする。記憶制御部１０２は、カウンタ１０３がカウントしたカウント数に応じて、バッファー２０に記憶済みの論理値を所定数削除する。図中のＡで記載された箇所は、２つの論理値が削除され、１０個の論理値が８個に減っている。よって、論理値が変化するたびに、実際のキーイング状態に応じたモールス符号の時間長よりも短い時間長のモールス符号としてバッファー２０に記憶される。
【００３６】
前記した送信ディレイタイムの期間、つまりＰＴＴスイッチ８０の押下により送信開始とされてから、実際の電波の出力が開始されるまでの期間は、実際のキーイング状態に応じたモールス符号の時間長よりも短い時間長のモールス符号としてバッファー２０に記憶され続ける。
【００３７】
送信ディレイタイムが終了し、実際の電波の出力（以降、被変調波の出力と記す）が開始されると、バッファー２０に記憶された論理値のうち古いものから変調波データとして出力されるとともに、キーイング状態が継続されている場合には、バッファー２０には新たに新しい論理値が記憶されていく。
【００３８】
図４は、バッファー２０に記憶された論理値を削除する過程を示した図である。送信制御部１０４は、被変調波の出力開始後、バッファー２０より古い順に論理値を出力する。しかしキーイング状態が継続されている限り、バッファー２０には、判断部１０１より判断された新たな論理値が入力されるため、論理値が変化しない限りバッファー２０に記憶された論理値の総数は変化しない。よって、キーイング操作に変化が無い状態、つまりキーアップしたまま、キーダウンしたままといった状態では遅延は解消しない。
【００３９】
しかし、記憶制御部１０２は、論理値が変化するたびに、変化する前に記憶された論理値から所定数を削除することにより、バッファー２０内の論理値の総数を減少させていく。図４でバッファー２０内が下線になっている箇所（Ａ’，Ｂ’，Ｃ’）は、その前のサンプリング時間でサンプリングされた論理値が変化した場合にバッファー２０内の所定数の論理値が削除されたことを示す。図中のＣ’が示す箇所は、論理値が削除されることにより、バッファー２０内の論理値が全て無くなりバッファー２０から出力することができなくなるため、送信制御部１０４は、判断部１０１が判断した論理値を変調波データとして出力する。この時点で、実際のキーイング操作（キーアップまたはキーダウン）に対して、遅延の無い変調波データが出力されることになり、操作に対するモールス符号の送信の遅延を解消することができる。
【００４０】
また、記憶制御部１０２は、論理値が変化するたびに、変化する前に記憶された論理値から所定数を削除するに際して、バッファー２０に記憶されている論理値の数が削除する予定の数（所定数）に満たない場合は、全て削除する。バッファー２０内の論理値が全て無くなると、送信制御部１０４は、バッファー２０内の論理値を出力することができなくなるため、判断部１０１が判断した論理値を、変調波データとして出力する。上記と同様、操作に対するモールス符号の送信の遅延を解消することができる。要するに、本実施形態では、記憶制御部１０２は、バッファー２０に記憶された操作信号の論理値の個数が所定数未満の場合は、バッファー２０に記憶された全ての操作信号の論理値を削除するとともに、判断部１０１が判断した操作信号の論理値をバッファー２０に記憶させずに出力する（この例では、判断部１０１が判断した論理値を送信制御部１０４へ渡す）。
【００４１】
図５は、バッファー２０に記憶された論理値を削除する処理の一例を示すフローチャートである。まず、ＦＭ携帯型無線機１（判断部１０１）は、現在の操作状態に応じた操作信号の論理を判断する（ステップＳ１）。次に、ＦＭ携帯型無線機１（記憶制御部１０２）は、ステップＳ１の判断結果としての論理値が、前回の判断結果としての論理値と同じであるか否かを判断する（ステップＳ２）。
【００４２】
ステップＳ２の結果が肯定の場合（ステップＳ２：Ｙｅｓ）、ＦＭ携帯型無線機１（記憶制御部１０２）は、ステップＳ１の判断結果としての論理値をバッファー２０に記憶する（ステップＳ３）。また、ＦＭ携帯型無線機１（カウンタ１０３）は、現在のカウント数（判断結果として連続した論理値の数に相当）を「１」だけインクリメントする（ステップＳ４）。一方、ステップＳ２の結果が否定の場合（ステップＳ２：Ｎｏ）、ＦＭ携帯型無線機１(記憶制御部１０２)は削除判定処理を実行する（ステップＳ５）。
【００４３】
図６は、削除判定処理の具体的な内容の一例を示すフローチャートである。まずＦＭ携帯型無線機１(記憶制御部１０２)は、現在のカウントに対して所定の圧縮割合（例えば１０％等）を乗算して、圧縮計算結果を得る（ステップＳ１０１）。次に、ＦＭ携帯型無線機１(記憶制御部１０２)は、現在のバッファー２０内の論理値の数がステップＳ１０１で得られた圧縮計算結果を上回るか否かを判断する（ステップＳ１０２）。
【００４４】
ステップＳ１０２の結果が肯定の場合（ステップＳ１０２：Ｙｅｓ）、所定数削除可能と判断する（ステップＳ１０３）。ステップＳ１０２の結果が否定の場合（ステップＳ１０２：Ｎｏ）、所定数削除不可能と判断する（ステップＳ１０４）。
【００４５】
図５に戻って説明を続ける。ステップＳ５の削除判定処理の結果、所定数削除不可能と判断した場合（ステップＳ６：Ｎｏ）、ＦＭ携帯型無線機１(記憶制御部１０２)は、バッファー２０に記憶された論理値を全て削除する（ステップＳ７）。一方、ステップＳ５の削除判定処理の結果、所定数削除可能と判断した場合（ステップＳ６：Ｙｅｓ）、ＦＭ携帯型無線機１(記憶制御部１０２)は、バッファー２０内の所定数の論理値を削除する（ステップＳ８）。そして、ＦＭ携帯型無線機１(カウンタ１０３)は現在のカウント数をリセットする（ステップＳ９）。次に、ＦＭ携帯型無線機１(記憶制御部１０２)は、ステップＳ１の判断結果としての論理値をバッファー２０に記憶する（ステップＳ１０）。そして、ＦＭ携帯型無線機１(カウンタ１０３)は、新たにカウントを開始し（ステップＳ１１）、リセット後のカウント数（「０」）を「１」だけインクリメントする。
【００４６】
上述の所定数であるが、例えば、カウント数に対して所定の割合、例えば１０％のデータを削除するといった方法がある。図７では、サンプリング時間を１ｍＳとし、送信ディレイタイムを１００ｍＳとしている。最初のキーダウン（図７のＡの箇所）は、カウント数は１０であり、その結果１０ｍＳのマーク（Ａ）となる。その後、同様に３０ｍＳのスペース（Ｂ）、３０ｍＳのマーク（Ｃ）、が入力され、その後はスペースが続いている状態である。送信ブレークインタイムが経過し、バッファー２０には論理値の変化があった時点で、マークまたはスペースのそれぞれ１０％、バッファー２０のデータ数が削減された状態となっているので、変調が開始された最初の変調信号出力であるマーク（Ｄ）は、９ｍＳの時間長のマークとなっている。その後も同様に、１０％削減された２７ｍＳの時間長のスペース（Ｅ）、１０％削減された２７ｍＳの時間長のマーク（Ｆ）となる。
【００４７】
図７は、短点、文字間スペース、長点、であるから、モールス符号のアルファベットの文字「Ｅ」と文字「Ｔ」が入力され、送信された状態を示していることになる。文字「Ｅ」の実際の変調信号として出力される、つまり送信されるまでは、送信ディレイタイムである１００ｍＳの遅延があるが、次の文字「Ｔ」の送信開始は、文字「Ｔ」の入力から９６ｍＳの遅延となり、遅延時間を解消していく動作となっている。この方法では、遅延が解消するまでマークまたはスペースの長さに関わらず一定の割合で、時間長が短縮されたマークまたはスペースとなり、遅延が解消したマークまたはスペースから遅延の無い送信となる。
【００４８】
以上、本発明の実施形態を説明したが、上述の各実施形態は、例として提示したものであり、発明の範囲を限定することは意図していない。本発明は、上述の実施形態そのままに限定されるものではなく、実施段階ではその要旨を逸脱しない範囲で構成要素を変形して具体化できる。また、上述の実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００４９】
１      ＦＭ携帯型無線機
１０    マイコン
２０    バッファー
３０    不揮発メモリ
４０    マイクロホン
５０    ＤＳＰ
６０    スピーカ
７０    表示部
８０    ＰＴＴスイッチ
９０    操作部
１００  送受信回路
１１０  アンテナ
１０１  判断部
１０２  記憶制御部
１０３  カウンタ
１０４  送信制御部
【図１】
2017063368.tif 000003
【図２】
2017063368.tif 000004
【図３】
2017063368.tif 000005
【図４】
2017063368.tif 000006
【図５】
2017063368.tif 000007
【図６】
2017063368.tif 000008
【図７】
2017063368.tif 000009